(57)【要約】      （修正有）【課題】ハウジングの大型化及び磁気回路の分散化を抑制するソレノイド装置を提供する。【解決手段】ソレノイド装置１０は、ヨーク２１とコア１７と軸部１１とボビン２５とコイル２９とプランジャ１３と蓋体３３とハウジング３０とを有する。ハウジング３０はハウジング本体部３１を有し、リア側に開口する第１開口部３１ａと、これよりも径方向外側に延びる第１段部を有する円筒状の第１内壁部３１ｃと、これよりも径方向外側に延びる第２段部３１ｊを有する円筒状の第２内壁部３１ｄとを有する。第１円筒部２１ａはリア側に第１フランジ部２１ｂを有する。第１フランジ部２１ｂの外径は第１内壁部３１ｃの内径より大きく、第２内壁部３１ｄの内径より小さい。第１フランジ部２１ｂの周端部２１ｃは第２段部３１ｊに接触する。蓋体３３は非磁性であり、周縁部３３ｃは第１段部と第１フランジ部２１ｂの軸方向一方側端面とで挟まれる。【選択図】図２
2020004847.tif 000002
【特許請求の範囲】
【請求項１】
コイルの励磁により発生する磁力で軸部を軸方向に移動させるソレノイド装置であって、
軸方向に延びる第１円筒部を有するヨークと、
前記ヨークに対して軸方向他方側に位置し、軸方向に延びる第２円筒部を有するコアと、
前記第２円筒部内を軸方向に移動する前記軸部と、
前記第１円筒部及び前記第２円筒部の径方向外側に配置されたボビンと、
前記ボビンに巻かれた前記コイルと、
前記第１円筒部内を軸方向に移動するプランジャと、
前記ヨーク及び前記プランジャに対して軸方向一方側に位置する蓋体と、
前記軸部、前記ヨーク、前記コア、前記ボビン、前記コイル、前記プランジャ及び前記蓋体を収容するハウジングと、
を有し、
前記ハウジングは、筒状のハウジング本体部を有し、
前記ハウジング本体部は、
軸方向一方側端部に開口する第１開口部と、
前記第１開口部から軸方向他方側に繋がる前記ハウジング本体部の内壁に、径方向外側へ延びる円環状の第１段部を有して軸方向に円筒状に広がる第１内壁部と、
前記第１内壁部の軸方向他方側に繋がる前記ハウジング本体部の内壁に、径方向外側へ延びる円環状の第２段部を有して軸方向に円筒状に広がる第２内壁部と、
を有し、
前記ヨークの前記第１円筒部は、前記第１円筒部の軸方向一方側に径方向外側に突出する環状の第１フランジ部を有し、
前記第１フランジ部の外径は、前記第１内壁部の内径よりも大きく、且つ前記第２内壁部の内径よりも小さく、
前記第１フランジの軸方向一方側端面は、前記第２段部に接触し、
前記蓋体は、非磁性材料製であり、
前記蓋体は、前記蓋体の径方向外側の周縁部の軸方向一方側の面が前記第１段部に接触するとともに、前記周縁部の軸方向他方側の面が前記第１フランジ部の軸方向一方側端面に接触して、前記周縁部が前記第１段部及び前記第１フランジ部の前記軸方向一方側端面とで挟まれた状態で前記ハウジングに固定される
ソレノイド装置。
【請求項２】
前記ボビンは、円筒状であり、
前記ヨークの前記第１フランジ部は、前記ボビンの軸方向一方側の端面と、前記第２段部とで挟まれた状態で前記ハウジングに固定される
請求項１に記載のソレノイド装置。
【請求項３】
前記蓋体は、前記ハウジングに固定された状態で前記第１開口部を塞ぐ
請求項１又は２に記載のソレノイド装置。
【請求項４】
前記ヨークの前記第１円筒部と前記第１フランジ部とは、一体的になる
請求項１に記載のソレノイド装置。
【請求項５】
前記蓋体は、
前記プランジャの軸方向一方側のプランジャ端面に対向して配置される蓋体本体部と、
前記蓋体本体部の径方向外側端部から軸方向他方側へ進むに従って径方向外側へ延びる環状の傾斜部と、
前記傾斜部の径方向外側端部から径方向外側に突出する環状の前記周縁部と、
を有する
請求項１に記載のソレノイド装置。
【請求項６】
前記周縁部の軸方向厚さは、前記第１内壁部の軸方向長さよりも大きい
請求項５に記載のソレノイド装置。
【請求項７】
前記蓋体本体部は、前記蓋体本体部の径方向内側に前記プランジャ側に突出する突出部を有する
請求項５に記載のソレノイド装置。
【請求項８】
前記蓋体本体部は、前記第１開口部の軸方向の領域内に配置される
請求項５又は７に記載のソレノイド装置。
【発明の詳細な説明】
【技術分野】
【０００１】
本発明は、ソレノイド装置に関する。
【背景技術】
【０００２】
ソレノイド装置の一例として、軸部を有するソレノイドにスプールバルブを設けたソレノイドバルブが知られている。特許文献１に記載されたソレノイドバルブのソレノイドは、軸方向に延びる円筒状のヨークと、ヨークに対して軸方向他方側に位置し、軸方向に延びる円筒状のコアと、コア内を軸方向に移動する軸部と、ヨーク及びコアの径方向外側に配置されたボビンと、ボビンに巻かれたコイルと、ヨーク内を軸方向に移動するプランジャと、これらを収容するハウジングと、を有する。スプールバルブは、ハウジングの軸方向他方側の端部に設けられたカシメ部を介してハウジングに固定される。
【先行技術文献】
【特許文献】
【０００３】
【特許文献１】特開２０１５−１０２１５０号公報
【発明の概要】
【発明が解決しようとする課題】
【０００４】
特許文献１に記載のソレノイドのハウジングは、磁性材料製であり、軸方向他方側が開口して軸方向一方側が底部を有した有底筒状である。このため、コイルが通電されると、コイルに発生する磁力によってプランジャがコア側に引き寄せられる。この際に、コアからプランジャを通る磁力線はヨークを介してコイル側に戻るが、複数の磁力線の一部はハウジングの底部を通ってヨークを介してコイル側に導かれる。したがって、磁気回路が分散する虞がある。
【０００５】
また、複数の磁力線の一部がハウジングの底部を通り、ハウジングは磁性材料であるので、ハウジングの底部は磁化されて、プランジャを吸着する。この吸着力を抑えるため、ハウジングの底部には、プランジャ側へ突出する突出部が設けられる。しかしながら、突出部によってプランジャがハウジングの軸方向一方側に停止する位置がハウジングの底部の内側底面よりも軸方向他方側にずれる。このため、プランジャのストロークを一定値に確保するには、ハウジングの軸方向長さを長くする必要がある。
【０００６】
本発明の目的は、ハウジングの大型化及び磁気回路の分散化を抑制できるソレノイド装置を提供することである。
【課題を解決するための手段】
【０００７】
本願の例示的な第１発明は、コイルの励磁により発生する磁力で軸部を軸方向に移動させるソレノイド装置であって、軸方向に延びる第１円筒部を有するヨークと、前記ヨークに対して軸方向他方側に位置し、軸方向に延びる第２円筒部を有するコアと、前記第２円筒部内を軸方向に移動する前記軸部と、前記第１円筒部及び前記第２円筒部の径方向外側に配置されたボビンと、前記ボビンに巻かれた前記コイルと、前記第１円筒部内を軸方向に移動するプランジャと、前記ヨーク及び前記プランジャに対して軸方向一方側に位置する蓋体と、前記軸部、前記ヨーク、前記コア、前記ボビン、前記コイル、前記プランジャ及び前記蓋体を収容するハウジングと、を有し、前記ハウジングは、筒状のハウジング本体部を有し、前記ハウジング本体部は、軸方向一方側端部に開口する第１開口部と、前記第１開口部から軸方向他方側に繋がる前記ハウジング本体部の内壁に、径方向外側へ延びる円環状の第１段部を有して軸方向に円筒状に広がる第１内壁部と、前記第１内壁部の軸方向他方側に繋がる前記ハウジング本体部の内壁に、径方向外側へ延びる円環状の第２段部を有して軸方向に円筒状に広がる第２内壁部と、を有し、前記ヨークの前記第１円筒部は、前記第１円筒部の軸方向一方側に径方向外側に突出する環状の第１フランジ部を有し、前記第１フランジ部の外径は、前記第１内壁部の内径よりも大きく、且つ前記第２内壁部の内径よりも小さく、前記第１フランジの軸方向一方側端面は、前記第２段部に接触し、前記蓋体は、非磁性材料製であり、前記蓋体は、前記蓋体の径方向外側の周縁部の軸方向一方側の面が前記第１段部に接触するとともに、前記周縁部の軸方向他方側の面が前記第１フランジ部の軸方向一方側端面に接触して、前記周縁部が前記第１段部及び前記フランジ部の前記軸方向一方側端面とで挟まれた状態で前記ハウジングに固定されるソレノイド装置である。
【発明の効果】
【０００８】
本願の例示的な第１発明によれば、ハウジングの大型化及び磁気回路の分散を抑えることができるソレノイド装置を提供することができる。
【図面の簡単な説明】
【０００９】
【図１】第１実施形態に係るソレノイド装置の断面図である。
【図２】ソレノイドの断面図である。
【図３】図２のＡ矢視に相当する部分の部分拡大図である。
【発明を実施するための形態】
【００１０】
以下、図面を参照しながら、本発明の実施形態に係るソレノイド装置について説明する。本実施形態では、調圧されたオイルを出力するスプールバルブをソレノイドに設けたソレノイド装置について説明する。また、以下の図面においては、各構成をわかり易くするために、実際の構造と各構造における縮尺及び数等を異ならせる場合がある。
【００１１】
また、図面においては、適宜３次元直交座標系としてＸＹＺ座標系を示す。ＸＹＺ座標系において、Ｚ軸方向は、図１に示す中心軸Ｊの軸方向と平行な方向とする。Ｘ軸方向は、図１に示すソレノイド装置の短手方向と平行な方向とする。Ｙ軸方向は、Ｘ軸方向とＺ軸方向との両方と直交する方向とする。
【００１２】
また、以下の説明においては、Ｚ軸方向の正の側（＋Ｚ側）を「リア側」と記し、Ｚ軸方向の負の側（−Ｚ側）を「フロント側」と記述する。なお、リア側及びフロント側とは、単に説明のために用いられる名称であって、実際の位置関係や方向を限定しない。また、特に断りのない限り、中心軸Ｊに平行な方向（Ｚ軸方向）を単に「軸方向」と記述し、中心軸Ｊを中心とする径方向を単に「径方向」と記し、中心軸Ｊを中心とする周方向、すなわち、中心軸Ｊの軸周り（θ方向）を単に「周方向」と記述する。
【００１３】
なお、本明細書において、軸方向に延びる、とは、厳密に軸方向（Ｚ軸方向）に延びる場合に加えて、軸方向に対して、４５°未満の範囲で傾いた方向に延びる場合も含む。また、本明細書において、径方向に延びる、とは、厳密に径方向、すなわち、軸方向（Ｚ軸方向）に対して垂直な方向に延びる場合に加えて、径方向に対して、４５°未満の範囲で傾いた方向に延びる場合も含む。
【００１４】
[第１実施形態]
＜全体構成＞
図１は、第１実施形態に係るソレノイド装置の断面図である。本実施形態のソレノイド装置１は、図１に示すように、ソレノイド１０と、スプールバルブ５０と、を有する。ソレノイド１０とスプールバルブ５０は、軸方向に沿って配置される。ソレノイド１０は、コイル２９の励磁によって発生する磁力で軸部１１を軸方向に移動する。スプールバルブ５０は、ソレノイド１０の軸方向他方側（フロント側）に位置し、軸部１１の移動とともに軸方向に移動可能なスプール弁５２を有する。スプール弁５２は、バルブボディ５１内に移動可能に収容される。以下、構成部材毎に詳細に説明する。なお、コイル２９に電流が流れて磁束が発生することを、「コイル２９の励磁」とする。
【００１５】
＜ソレノイド１０＞
図２は、ソレノイドの断面図である。図３は、図２のＡ矢視に相当する部分の部分拡大図である。ソレノイド１０は、図２及び図３に示すように、ヨーク２１と、コア１７と、軸部１１と、ボビン２５と、コイル２９と、プランジャ１３、蓋体３３、ハウジング３０と、を有する。
【００１６】
（ハウジング３０）
ハウジング３０は、磁性金属材料製であり、軸部１１、ヨーク２１、コア１７、ボビン２５、コイル２９、プランジャ１３及び蓋体３３を収容する。ハウジング３０は、筒状のハウジング本体部３１を有する。本実施形態では、ハウジング本体部３１は円筒状である。ハウジング本体部３１は、第１開口部３１ａと第１内壁部３１ｃと第２内壁部３１ｄとを有する。第１開口部３１ａは、軸方向一方側端部に開口する。第１内壁部３１ｃは、第１開口部３１ａから軸方向他方側に繋がるハウジング本体部３１の内壁３１ｂに、径方向外側へ延びる円環状の第１段部３１ｍを有して軸方向に円筒状に広がる。第２内壁部３１ｄは、第１内壁部３１ｃの軸方向他方側に繋がるハウジング本体部３１の内壁３１ｂに、径方向外側へ延びる円環状の第２段部３１ｊを有して軸方向に円筒状に広がる。
【００１７】
本実施形態では、ハウジング本体部３１の軸方向一方側端部には、径方向内側へ突出する環状のハウジング突出部３１ｅを有する。第１内壁部３１ｃは、ハウジング突出部３１ｅの軸方向他方側（フロント側）に設けられる。第１内壁部３１ｃは、ハウジング突出部３１ｅの径方向内側端面３１ｆから径方向外側で軸方向に広がって円筒状をなす。第１内壁部３１ｃのうち第１開口部３１ａのフロント側端から径方向外側へ延びる面が第１段部３１ｍとなる。このため、第１段部３１ｍは、軸方向に対して直交する面となる。第１内壁部３１ｃの内径は、ハウジング本体部３１の内壁３１ｂの内径よりも小さい。
【００１８】
第２内壁部３１ｄのうち第２内壁部３１ｄのリア側端から径方向外側へ延びる面が第２段部３１ｊとなる。このため、第２段部３１ｊは、軸方向に対して直交する面となり、第１段部３１ｍと平行をなす。第２内壁部３１ｄの内径は、ハウジング本体部３１の内壁３１ｂの内径と同一である。このため、本実施形態では、第２内壁部３１ｄの内面は、ハウジング本体部３１の内壁３１ｂの軸方向他方側（フロント側）の内面と同一面上にある。ハウジング突出部３１ｅの径方向内側端面３１ｆで囲まれる空間は、第１開口部３１ａをなす。第２内壁部３１ｄの内面にはヨーク２１の第１フランジ部２１ｂが対向して配置される。
【００１９】
ハウジング本体部３１のフロント側の内壁３１ｂには、図１及び図２に示すように、径方向外側へ延びる円環状の第３段部３１ｋを有して軸方向に円筒状に広がる第３内壁部３１ｇが設けられる。第３内壁部３１ｇの内径は、ハウジング本体部３１の内壁３１ｂの内径よりも大きい。このため、第３内壁部３１ｇの径方向厚さは、ハウジング本体部３１の内壁３１ｂの径方向厚さよりも薄い。
【００２０】
ハウジング本体部３１は、第３内壁部３１ｇのフロント側の端部からフロント側へ延びるカシメ部３１ｈを有する。カシメ部３１ｈの径方向の厚さは、第３内壁部３１ｇの径方向の厚さと同じである。なお、カシメ部３１ｈの径方向の厚さを、第３内壁部３１ｇの厚さよりも薄くしてもよい。カシメ部３１ｈの厚さ薄くすることで、カシメ部３１ｈの塑性変形が容易になり、カシメ作業の作業性を向上することができる。なお、カシメ部３１ｈによってスプールバルブ５０のバルブボディ５１がハウジング３０に固定される。
【００２１】
ハウジング本体部３１のフロント側のＸ軸方向プラス側端部には、ターミナル切欠き部３１ｉが設けられる。コイル２９に電気的に接続されたターミナル３８を保持するターミナル本体部３７は、ターミナル切欠き部３１ｉの径方向内側から外側へ向かって突出する。ターミナル本体部３７と、コイル２９が巻かれたボビン２５とは、一体成型品である。
【００２２】
（ヨーク２１）
ヨーク２１は、ハウジング本体部３１内の軸方向一方側（リア側）に位置し、軸方向に延びる第１円筒部２１ａを有する。本実施形態では、第１円筒部２１ａは、軸方向に貫通する第１貫通孔２１ｈを有する。第１貫通孔２１ｈ内にプランジャ１３が挿入される。
【００２３】
第１円筒部２１ａの軸方向一方側（リア側）には、径方向外側に突出する環状の第１フランジ部２１ｂが設けられる。第１フランジ部２１ｂの外径は、第１内壁部３１ｃの内径よりも大きく、第２内壁部３１ｄの内径よりも小さい。このため、第１フランジ部２１ｂは、第２内壁部３１ｄ内に容易に挿入可能である。
【００２４】
本実施形態では、第１フランジ部２１ｂは円環状であり、第１フランジ部２１ｂの軸方向厚さは、ハウジング本体部３１の内壁３１ｂの肉厚と同程度の厚さ有する。このため、第１フランジ部２１ｂの周端部２１ｃは、第２内壁部３１ｄの内面に沿って配置される。よって、ヨーク２１は中心軸Ｊに沿って姿勢でハウジング本体部３１内に配置することができる。
【００２５】
ヨーク２１の第１フランジ部２１ｂは、図３に示すように、ボビン２５の軸方向一方側の端面２５ｃと、第１段部３１ｍとで挟まれた状態でハウジング３０に固定される。また、第１フランジ部２１ｂの軸方向一方側端面２１ｄ１には、第２段部３１ｊの他に蓋体３３の周縁部３３ｃが接触する。
【００２６】
第１円筒部２１ａの軸方向長さは、図２に示すように、プランジャ１３の軸方向長さと略同じ長さを有する。第１円筒部２１ａの第１貫通孔２１ｈの内径は、プランジャ１３の外径よりも僅かに大きい。このため、第１円筒部２１ａは、プランジャ１３を支持するすべり軸受として機能するとともに、プランジャ１３の軸方向への移動を可能にする。
【００２７】
第１円筒部２１ａの壁部２１ｅの軸方向他方側（フロント側）の端部は、軸方向他方側へ進むに従って径方向内側へ斜めに傾斜する傾斜面部２１ｆを有する。また、第１円筒部２１ａの軸方向他方側の壁部２１ｅには、壁部２１ｅよりも小径で円筒状の第１嵌合部２１ｇが設けられる。この第１嵌合部２１ｇには、後述するカラー４１が装着される。
【００２８】
ヨーク２１の第１円筒部２１ａと第１フランジ部２１ｂとは、一体的になる。即ち、第１円筒部２１ａと第１フランジ部２１ｂとは、単一部材からなる。このヨーク２１は、型成型又は切削加工で得られる。なお、ヨーク２１は、第１円筒部２１ａと第１フランジ部２１ｂとが別体であってもよい。
【００２９】
（プランジャ１３）
プランジャ１３は、第１円筒部２１ａ内を軸方向に移動する。本実施形態では、プランジャ１３は、磁性材料製であり、円柱状である。プランジャ１３の外径は、第１円筒部２１ａの第１貫通孔２１ｈの内径よりも僅かに小さい。
【００３０】
プランジャ１３は、軸方向に貫通する第２貫通孔１３ａを有する。本実施形態では、第２貫通孔１３ａは、フロント側がプランジャ１３のフロント側のプランジャ端面１３ｂに開口し、リア側がプランジャ１３のリア側のプランジャ端面１３ｃに開口する。第２貫通孔１３ａは、軸方向視において、軸部１１よりも径方向外側に位置する。
【００３１】
（コア１７）
コア１７は、ヨーク２１に対して軸方向他方側（フロント側）に位置し、軸方向に延びる第２円筒部１７ａを有する。第２円筒部１７ａは、軸方向に延びて軸部１１が挿入される第３貫通孔１７ｆを有する。本実施形態では、コア１７は、磁性材料製であり、ハウジング３０のフロント側に配置されてハウジング３０内に固定される。コア１７は、カラー４１を介してヨーク２１に結合されるとともに、ボビン２５の内面に接触した状態でハウジング３０に固定される。コア１７の第２円筒部１７ａのフロント側には、径方向に突出する環状の第２フランジ部１７ｂが設けられる。第２フランジ部１７ｂの外径は、第３内壁部３１ｇの内径よりも僅かに小さい。
【００３２】
第２フランジ部１７ｂの軸方向一方側端面１７ｎは、第３段部３１ｋに接触する。このため、コア１７は、ハウジング３０に対して軸方向一方側（リア側）に位置決めされる。
【００３３】
第２円筒部１７ａのリア側には、リア側が開口してフロント側へ窪む第１空間部１７ｄが設けられる。本実施形態では、第１空間部１７ｄは、中心軸Ｊに対して同軸上に設けられて、軸方向視において円形状である。第１空間部１７ｄの内径はプランジャ１３の外径よりも僅かに大きい。このため、プランジャ１３は第１空間部１７ｄ内に軸方向に移動可能である。
【００３４】
第１空間部１７ｄには、第１空間部１７ｄのフロント側端部からフロント側へ延びる延長空間部１７ｅが設けられる。延長空間部１７ｅは、リア側が開口してフロント側へ延びる。延長空間部１７ｅの内径は第１空間部１７ｄの内径よりも小さい。延長空間部１７ｅのフロント側の底面には軸部１１が通る第３貫通孔１７ｆのリア側の開口部１７ｇが開口する。
【００３５】
第３貫通孔１７ｆは、リア側が延長空間部１７ｅに開口し、フロント側が第２円筒部１７ａのフロント側の端面１７ｈに開口する。第３貫通孔１７ｆに軸部１１が移動自在に通される。第３貫通孔１７ｆは、軸部１１を支持するすべり軸受として機能するとともに、軸部１１の軸方向への移動を可能にする。
【００３６】
第２円筒部１７ａのリア側には、第２円筒部１７ａのフロント側よりも小径で円筒状の第２嵌合部１７ｉが設けられる。第２嵌合部１７ｉにはカラー４１のフロント側が嵌合する。カラー４１のフロント側はヨーク２１の第１嵌合部２１ｇに嵌合する。このため、ヨーク２１とコア１７はカラー４１を介して結合される。
【００３７】
第２円筒部１７ａの第１空間部１７ｄの径方向外側には、リア側へ延びる円筒状の薄肉部１７ｊが設けられ。薄肉部１７ｊは、軸方向一方側へ進むに従って径方向内側に傾く傾斜面部１７ｋを有する。傾斜面部１７ｋを有した薄肉部１７ｊは、コイル２９の通電時に、薄肉部１７ｊからプランジャ１３側に延びる磁力線を集中させて、プランジャ１３をフロント側へ引っ張る力を増大する。
【００３８】
（軸部１１）
軸部１１は、図２に示すように、第２円筒部１７ａに対して軸方向に移動する。本実施形態では、軸部１１は、非磁性の金属材料製であり、軸部１１の外径は第３貫通孔１７ｆの内径よりも僅かに小さい。軸部１１のリア側の端部は第１空間部１７ｄ内に突出し、軸部１１のフロント側の端部はコア１７のフロント側の端面１７ｈから突出する。軸部１１のリア側には止め輪１２が装着される。
【００３９】
プランジャ１３が軸部１１をフロント側に移動させる際に、プランジャ１３のフロント側のプランジャ端面１３ｂが第１空間部１７ｄの底面に接触する前に、止め輪１２が延長空間部１７ｅの底面に接触する位置に配置される。このため、軸部１１がフロント側へ移動する際に、プランジャ１３が第１空間部１７ｄの底面に当接する虞を防止することができる。
【００４０】
（ボビン２５）
ボビン２５は、円筒状であり、第１円筒部２１ａ及び第２円筒部１７ａの径方向外側に配置される。本実施形態では、ボビン２５は、樹脂製であり、第１円筒部２１ａの径方向外側の側面２１ｉと、第２円筒部１７ａの径方向外側の側面１７ｍを覆う。ボビン２５は、円筒部２５ａと、円筒部２５ａの軸方向両側に設けられて径方向外側へ突出する第３フランジ部２５ｂと、を有する。円筒部２５ａにコイル２９が巻かれる。
【００４１】
Ｘ軸方向プラス側の第３フランジ部２５ｂは、径方向外側へ延びるターミナル本体部３７に繋がる。コイル２９が巻かれたボビン２５は、ターミナル本体部３７とともに樹脂によって一体成型される。
【００４２】
（コイル２９）
コイル２９は、ボビン２５に巻かれる。本実施形態では、コイル２９は、ボビン２５の円筒部２５ａの径方向外側の外周面に沿って周方向に巻かれる。コイル２９の両端部はターミナル本体部３７に設けられたターミナル３８に電気的に接続される。
【００４３】
（蓋体３３）
蓋体３３は、図２に示すように、非磁性材料製あり、ヨーク２１及びプランジャ１３に対して軸方向一方側（リア側）に位置する。蓋体３３は、プランジャ１３の軸方向一方側のプランジャ端面１３ｃに対向して配置される蓋体本体部３３ａと、蓋体本体部３３ａの径方向外側端部から軸方向他方側へ進むに従って径方向外側へ延びる環状の傾斜部３３ｂと、傾斜部３３ｂの径方向外側端部から径方向外側に突出する環状の周縁部３３ｃと、を有する。
【００４４】
蓋体３３は、図２及び図３に示すように、蓋体３３の径方向外側の周縁部３３ｃの軸方向一方側の面３３ｄ２が第１段部３１ｍに接触するとともに、周縁部３３ｃの軸方向他方側の面３３ｄ１が第１フランジ部２１ｂの軸方向一方側端面２１ｄ１に接触して、周縁部３３ｃが第１段部３１ｍ及び第１フランジ部２１ｂの軸方向一方側端面２１ｄ１とで挟まれた状態でハウジング３０に固定される。蓋体３３は、ハウジング３０に固定された状態で第１開口部３１ａを塞ぐ。本実施形態では、蓋体３３の蓋体本体部３３ａ及び傾斜部３３ｂによって第１開口部３１ａが覆われる。
【００４５】
蓋体３３の周縁部３３ｃの軸方向厚さは、第１内壁部３１ｃの軸方向長さよりも大きい。このため、周縁部３３ｃが第１段部３１ｍに接触した状態で、周縁部３３ｃのフロント側の面３３ｄ１を第１フランジ部２１ｂの軸方向一方側端面２１ｄ１に接触させることができる。
【００４６】
蓋体本体部３３ａは、第１開口部３１ａの軸方向の領域内に配置される。このため、蓋体本体部３３ａは、軸方向においてハウジング本体部３１のリア側の端部から突出しない。
【００４７】
蓋体本体部３３ａは、蓋体本体部３３ａの径方向内側にプランジャ側に突出する突出部３３ｅを有する。本実施形態では、突出部３３ｅは、プランジャ１３のリア側のプランジャ端面１３ｃの中央部に接触するとともに、第２貫通孔１３ａのリア側の開口部１３ｄよりも中心軸Ｊ側にずれた位置に配置される。
【００４８】
＜スプールバルブ５０＞
（バルブボディ５１）
バルブボディ５１は、図１に示すように、円筒状であり、オイルを流入・流出させる複数のポート５５を有する。バルブボディ５１は、軸方向に延びてスプール弁５２が挿入されたスプール孔部５３を有する。スプール孔部５３は、バルブボディ５１を軸方向に貫通する。スプール孔部５３には、複数のポート５５が繋がる。バルブボディ５１のリア側端部には、径方向に突出するフランジ部５４が設けられる。このフランジ部５４は、ソレノイド１０のハウジング本体部３１に設けられカシメ部３１ｈによって加締められてハウジング本体部３１に固定される。
【００４９】
（スプール弁５２）
スプール弁５２は、スプール孔部５３の内径よりも僅かに小さい外径を有する複数の大径部５２ａと、軸方向に隣接する大径部５２ａ同士を繋ぎ大径部５２ａよりも小径な小径部５２ｂとを有する。スプール弁５２は軸方向に移動することで大径部５２ａがポート５５を開閉する。バルブボディ５１のフロント側端部には、スプール孔部５３のフロント側の開口を塞ぐ閉塞部材５７が挿入される。閉塞部材５７とスプール弁５２のフロント側端部との間には、圧縮ばね６０が配置される。このため、スプール弁５２は、圧縮ばね６０によってリア側へ附勢される。
【００５０】
＜ソレノイド１０の組み立て方法＞
先ず、蓋体３３は、図２に示すように、ハウジング本体部３１のフロント側に開口する第２開口部３１ｎから突出部３３ｅがフロント側へ向いた姿勢で、ハウジング本体部３１内に挿入される。蓋体３３は、周縁部３３ｃのリア側の面３３ｄ２が第１段部３１ｍに接触した状態でハウジング本体部３１内に配置される。蓋体３３の配置後、ヨーク２１は、第１フランジ部２１ｂがリア側に向いた状態で第２開口部３１ｎからハウジング本体部３１内に挿入されて、第１フランジ部２１ｂの軸方向一方側端面２１ｄ１を蓋体３３の周縁部３３ｃのフロント側の面３３ｄ１に接触させる。
【００５１】
ヨーク２１の配置後、ボビン２５とターミナル本体部３７が一体成型されたアセンブリを、ハウジング本体部３１の第２開口部３１ｎからハウジング本体部３１内に挿入する。ボビン２５は、ボビン２５の外周面がハウジング本体部３１の内壁３１ｂの内面に嵌め合わされて固定される。また、ヨーク２１の第１円筒部２１ａの外周面はボビン２５の内周面に接触する。
【００５２】
アセンブリの挿入後、プランジャ１３を第２開口部３１ｎからハウジング本内部３１内に挿入し、プランジャ１３をヨーク２１の第１円筒部２１ａの第１貫通孔２１ｈに挿入する。プランジャ１３の挿入後、カラー４１を、第２開口部３１ｎからハウジング本体部３１内に挿入して、ヨーク２１の第１嵌合部２１ｇに嵌め合わせる。カラー４１の挿入後、軸部１１が挿入されたコア１７を、第１空間部１７ｄがリア側に向いた状態で、コア１７を第２開口部３１ｎからハウジング本体部３１内に挿入し、コア１７の第２嵌合部１７ｉにヨーク２１からフロント側へ延びるカラー４１を嵌め合わせて、ソレノイド１０の組み立てが終了する。
【００５３】
なお、ソレノイド１０の組み立て方法は、前述した順序に限るものではない。前述した組み立て方法では、ヨーク２１の配置後に、アセンブリをハウジング本体部３１内に挿入したが、ヨーク２１の配置後にプランジャ１３をヨーク２１内に挿入してもよい。
【００５４】
＜ソレノイド装置１の作用・効果＞
次に、ソレノイド装置１の作用・効果について説明する。図１に示すように、ソレノイド装置１のソレノイド１０のコイル２９が励磁されると、コイル２９に発生する磁力によってプランジャ１３がコア１７側に吸引される。このため、プランジャ１３に接触する軸部１１がプランジャ１３とともにフロント側に移動する。なお、軸部１１の移動時には、圧縮ばね６０の付勢に抗して移動する。したがって、軸部１１に当接するスプール弁５２がフロント側へ移動する。
【００５５】
一方、ソレノイド１０のコイル２９が非励磁状態になると、プランジャ１３は、コア１７からの吸引力が無くなる。このため、圧縮ばね６０のフロント側へ向く付勢力によって、スプール弁５２はリア側へ移動する。また、スプール弁５２のリア側への移動に伴ってソレノイド１０の軸部１１及びプランジャ１３は、リア側へ移動する。
【００５６】
（１）ここで、本実施形態に係るソレノイド装置１の蓋体３３は非磁性材料製であり、図２及び図３に示すように、第１フランジ部２１ｂの軸方向一方側端面２１ｄ１が第２段部３１ｊに接触し、蓋体３３の周縁部３３ｃが第１段部３１ｍ及び第１フランジ部２１ｂの軸方向一方側端面２１ｄ１とで挟まれた状態でハウジング３０に固定される。このため、蓋体３３は、軸方向に強固に固定される。また、プランジャ１３からヨーク２１を通ってコイル２９に戻る磁力線は蓋体３３を通る虞はない。また、コイル２９から出る磁力線が第１フランジ部２１ｂを介してハウジング３０内を通る場合、第１フランジ部２１ｂが第２段部３１ｊを介してハウジング３０に接触しているので、第１フランジ部２１ｂからハウジング３０への磁力線の透過が容易になる。このため、ソレノイド装置１での磁気回路の分散を抑制することができ、コア１７へのプランジャ１３の吸着力の低下を防止することができる。
【００５７】
（２）また、ヨーク２１の第１フランジ部２１ｂは、ボビン２５の軸方向一方側の端面２５ｃと、第２段部３１ｊとで挟まれた状態でハウジング３０に固定される。このため、ヨーク２１をハウジング３０に対して軸方向に強固に固定することができる。
【００５８】
（３）また、蓋体３３は、ハウジング３０に固定された状態で第１開口部３１ａを塞ぐ。このため、プランジャ１３やヨーク２１を通る磁力線が第１開口部３１ａから外部に漏れ出す虞を防止することができる。
【００５９】
（４）また、ヨーク２１の第１円筒部２１ａと第１フランジ部２１ｂとは一体的になる。このため、ヨーク２１の第１円筒部２１ａと第１フランジ部２１ｂとが別体である場合と比較して、部品数を低減することができる。
【００６０】
（５）また、蓋体３３は、プランジャ１３のリア側のプランジャ端面１３ｃに対向配置される蓋体本体部３３ａと、蓋体本体部３３ａの径方向外側端部から軸方向他方側へ進むに従って径方向外側へ延びる環状の傾斜部３３ｂと、傾斜部３３ｂの径方向外側端部から径方向外側に突出する環状の周縁部３３ｃと、を有する。このため、周縁部３３ｃに対して蓋体本体部３３ａを軸方向一方側に位置させることができる。したがって、プランジャ１３を蓋体本体部３３ａ側に寄せた配置が可能となり、ソレノイド装置１の軸方向の大型化を抑制することができる。
【００６１】
（６）また、周縁部３３ｃの軸方向厚さは、第１内壁部３１ｃの軸方向長さよりも大きい。このため、周縁部３３ｃの軸方向他方側の面３３ｄ１を第１フランジ部２１ｂの軸方向一方側端面２１ｄに確実に接触させることができる。
【００６２】
（７）また、蓋体本体部３３ａは、蓋体本体部３３ａの径方向内側にプランジャ１３側に突出する突出部３３ｅを有する。このため、プランジャ１３が軸方向一方側に移動する場合、プランジャ１３の軸方向一方側のプランジャ端面１３ｃが突出部３３ｅに接触して、プランジャ１３の軸方向一方側への移動を規制することができる。
【００６３】
（８）また、蓋体本体部３３ａは、第１開口部３１ａの軸方向の領域内に配置される。このため、蓋体本体部３３ａが第１開口部３１ａよりも軸方向他方側に配置される場合と比較して、ソレノイド装置１の軸方向の大型化を抑制することができる。
【００６４】
以上、本発明の好ましい実施形態について説明したが、本発明は、これらの実施形態に限定されず、その要旨の範囲内で種々の変形および変更が可能である。これらの実施形態及びその変形は、発明の範囲及び要旨に含まれると同時に、特許請求の範囲に記載された発名とその均等の範囲に含まれる。
【符号の説明】
【００６５】
１  ソレノイド装置
１１  軸部
１３  プランジャ
１３ｃ  プランジャ端面
１７  コア
１７ａ  第２円筒部
２１  ヨーク
２１ａ  第１円筒部
２１ｂ  第１フランジ部
２１ｃ  周端部
２１ｄ１  軸方向一方側端部
２５  ボビン
２５ｃ  端面
２９  コイル
３０  ハウジング
３１  ハウジング本体部
３１ａ  第１開口部
３１ｂ  内壁
３１ｃ  第１内壁部
３１ｄ  第２内壁部
３１ｊ  第２段部
３１ｍ  第１段部
３３  蓋体
３３ａ  蓋体本体部
３３ｂ  傾斜部
３３ｃ  周縁部
３３ｄ１，３３ｄ２  面
３３ｅ  突出部
【図１】
2020004847.tif 000003
【図２】
2020004847.tif 000004
【図３】
2020004847.tif 000005